(57)【特許請求の範囲】
【請求項１】
ＷＣＳ色管理システムを用いたユーザプリンタによって、前記ユーザプリンタ及び指定されたターゲットプリンタ間の色変動を低減してカラー画像を印刷する方法であって、前記方法は、
（ａ）ターゲットプリンタ色空間をデバイス非依存色空間に関連付けるモデルを作成するために用いられる色測定データを含む、前記ターゲットプリンタの色特性を表すターゲット色デバイスモデルプロファイルを取得する工程、
（ｂ）ユーザプリンタ色空間を前記デバイス非依存色空間に関連付けるモデルを作成するために用いられる色測定データを含む、前記ユーザプリンタの色特性を表すユーザ色デバイスモデルプロファイルを取得する工程、
（ｃ）前記ターゲット色デバイスモデルプロファイル及び前記ユーザ色デバイスモデルプロファイルを前記ユーザプリンタに記憶する工程、及び、
（ｄ）前記ユーザプリンタを用いて入力デジタル画像データから画像を印刷する際に、前記ターゲット色デバイスモデルプロファイル及び前記ユーザ色デバイスモデルプロファイルを用いて色変換を実行する工程、
を有する。
【請求項２】
請求項１の方法であって、工程（ａ）は、
（ａ１）前記ターゲットプリンタのデフォルトカラープロファイルを用いて、前記ターゲットプリンタにより第１の色測定チャートを印刷する工程、
（ａ２）工程（ａ１）で印刷した前記第１の色測定チャートを測定してターゲット色測定値を取得する工程、及び、
（ａ３）前記ターゲット色測定値を用いて前記ターゲット色デバイスモデルプロファイルを生成する工程、
を有し、工程（ｂ）は、
（ｂ１）前記ユーザプリンタのデフォルトカラープロファイルを用いて、前記ユーザプリンタにより前記第１の色測定チャートに対応する第２の色測定チャートを印刷する工程、
（ｂ２）工程（ｂ１）で印刷した前記第２の色測定チャートを測定してユーザ色測定値を取得する工程、及び、
（ｂ３）前記ユーザ色測定値を用いて前記ユーザ色デバイスモデルプロファイルを生成する工程、
を有し、
工程（ｄ）における前記色変換は、前記入力画像の色デバイスモデルプロファイル及び前記ユーザプリンタの前記デフォルトカラープロファイルを更に用いる。
【請求項３】
請求項１の方法であって、工程（ａ）は、
（ａ１）色管理機能をオフにした前記ターゲットプリンタにより第１の色測定チャートを印刷する工程、
（ａ２）工程（ａ１）で印刷した前記第１の色測定チャートを測定してターゲット色測定値を取得する工程、及び、
（ａ３）前記ターゲット色測定値を用いて前記ターゲット色デバイスモデルプロファイルを生成する工程、
を有し、工程（ｂ）は、
（ｂ１）色管理機能をオフにした前記ユーザプリンタにより前記第１の色測定チャートに対応する第２の色測定チャートを印刷する工程、
（ｂ２）工程（ｂ１）で印刷した前記第２の色測定チャートを測定してユーザ色測定値を取得する工程、及び、
（ｂ３）前記ユーザ色測定値を用いて前記ユーザ色デバイスモデルプロファイルを生成する工程、
を有し、
工程（ｄ）における前記色変換は、前記入力画像の色デバイスモデルプロファイルを更に用いる。
【請求項４】
プリンタであって、
プリントエンジンと、
プロセッサ及びメモリを有し、印刷されるデジタル画像を処理し、前記プリントエンジンを制御するコントローラと、を有し、
前記メモリは、ターゲット色デバイスモデルプロファイル及びユーザ色デバイスモデルプロファイルを記憶し、
前記ターゲット色デバイスモデルプロファイルは、第１の色測定チャートを指定されたターゲットプリンタにより印刷し、前記第１の色測定チャートを測定してターゲット色測定値を取得し、前記ターゲット色測定値を用いて前記ターゲット色デバイスモデルプロファイルを生成することにより生成されるものであり、ターゲットプリンタ色空間をデバイス非依存色空間に関連付けるモデルを作成するために用いられる色測定データを含み、
前記ユーザ色デバイスモデルプロファイルは、プリンタにより前記第１の色測定チャートに対応する第２の色測定チャートを印刷し、前記第２の色測定チャートを測定してユーザ色測定値を取得し、前記ユーザ色測定値を用いて前記ユーザ色デバイスモデルプロファイルを生成することにより生成されるものであり、ユーザプリンタ色空間を前記デバイス非依存色空間に関連付けるモデルを作成するために用いられる色測定データを含み、
前記プロセッサは、入力デジタル画像データから画像を印刷する際に、前記ターゲット色デバイスモデルプロファイル及び前記ユーザ色デバイスモデルプロファイルを用いて色変換処理を実行するようにプログラムされている。
【請求項５】
請求項４のプリンタであって、
前記第１の色測定チャートは、前記ターゲットプリンタのデフォルトカラープロファイルを用いて、前記ターゲットプリンタにより印刷され、
前記第２の色測定チャートは、前記プリンタのデフォルトカラープロファイルを用いて、前記プリンタにより印刷され、
前記メモリは、前記プリンタの前記デフォルトカラープロファイルを更に記憶し、
前記色変換処理は、前記入力画像の色デバイスモデルプロファイル及び前記プリンタの前記デフォルトカラープロファイルを更に用いる。
【請求項６】
請求項４のプリンタであって、
前記第１の色測定チャートは、色管理機能がオフにされた前記ターゲットプリンタにより印刷され、
前記第２の色測定チャートは、色管理機能がオフにされた前記プリンタにより印刷され、
前記色変換処理は、前記入力画像の色デバイスモデルプロファイルを更に用いる。
【発明の詳細な説明】
【技術分野】
【０００１】
本発明は印刷方法に関し、特に、複数のプリンタ間における色変動を補償する印刷方法に関する。
【背景技術】
【０００２】
同様の又は異なる製品からの異なるモデルのカラープリンタは、多くの場合、異なる色特性を有する。同じモデルのプリンタであっても、種々のハードウェア関連の要因及び環境条件に起因して、異なる色特性を有することがありうる。その結果、同じデジタル画像データが、異なるプリンタで印刷される際に、若干異なる色となって印刷ページに現れることがありうる。このような異なるプリンタ間の色変動が、特定の状況において問題を起こすことがある。例えば、多数のプリンタを有する印刷所においては、多くの場合、異なるプリンタで印刷されるページが同じ色特性を有することを確保することが望ましい。これは、特に、印刷所が大量のコピーを含む印刷ジョブを、複数のプリンタで印刷することによって生成する場合に言えることである。異なるプリンタから印刷されるすべてのコピーは、同じ色を有することが非常に望ましいといえる。
【発明の概要】
【発明が解決しようとする課題】
【０００３】
本発明は、複数のプリンタ間における色変動の補償方法及び関連する装置を対象としている。
【０００４】
本発明の目的は、複数のプリンタに、色変動が低減された印刷ページを生成することを可能とさせることにある。
【課題を解決するための手段】
【０００５】
本発明の付加的な特徴及び効果は、以下の記述において説明され、その一部は該記述より明らかであり、又は本発明の実施により理解されうる。本発明の目的及び他の効果は、特に、添付図面と共に、明細書の記載及びそのクレームにおいて摘示される構造によって実現され、達成される。
【０００６】
これらの及び／又は他の目的を達成するために、具現化され広義に記載されているように、本発明は、ＷＣＳ色管理システムを用いたユーザプリンタによって、前記ユーザプリンタ及び指定されたターゲットプリンタ間の色変動を低減してカラー画像を印刷する方法であって、（ａ）ターゲットプリンタ色空間をデバイス非依存色空間に関連付けるモデルを作成するために用いられる色測定データを含む、前記ターゲットプリンタの色特性を表すターゲット色デバイスモデルプロファイルを取得する工程、（ｂ）ユーザプリンタ色空間を前記デバイス非依存色空間に関連付けるモデルを作成するために用いられる色測定データを含む、前記ユーザプリンタの色特性を表すユーザ色デバイスモデルプロファイルを取得する工程、（ｃ）前記ターゲット色デバイスモデルプロファイル及び前記ユーザ色デバイスモデルプロファイルを前記ユーザプリンタに記憶する工程、及び、（ｄ）前記ユーザプリンタを用いて入力デジタル画像データから画像を印刷する際に、前記ターゲット色デバイスモデルプロファイル及び前記ユーザ色デバイスモデルプロファイルを用いて色変換を実行する工程、を有する方法を提供する。前記色変換は、前記入力画像の色デバイスモデルプロファイルを更に用いてもよく、又は前記入力画像の色デバイスモデルプロファイル及び前記ユーザプリンタのデフォルトカラープロファイルを更に用いてもよい。
【０００８】
他の側面において、本発明は、プリンタであって、プリントエンジンと、プロセッサ及びメモリを有し、印刷されるデジタル画像を処理し、前記プリントエンジンを制御するコントローラと、を有し、前記メモリは、ターゲット色デバイスモデルプロファイル及びユーザ色デバイスモデルプロファイルを記憶し、前記ターゲット色デバイスモデルプロファイルは、第１の色測定チャートを指定されたターゲットプリンタにより印刷し、前記第１の色測定チャートを測定してターゲット色測定値を取得し、前記ターゲット色測定値を用いて前記ターゲット色デバイスモデルプロファイルを生成することにより生成されるものであり、ターゲットプリンタ色空間をデバイス非依存色空間に関連付けるモデルを作成するために用いられる色測定データを含み、前記ユーザ色デバイスモデルプロファイルは、プリンタにより前記第１の色測定チャートに対応する第２の色測定チャートを印刷し、前記第２の色測定チャートを測定してユーザ色測定値を取得し、前記ユーザ色測定値を用いて前記ユーザ色デバイスモデルプロファイルを生成することにより生成されるものであり、ユーザプリンタ色空間を前記デバイス非依存色空間に関連付けるモデルを作成するために用いられる色測定データを含み、前記プロセッサは、入力デジタル画像データから画像を印刷する際に、前記ターゲット色デバイスモデルプロファイル及び前記ユーザ色デバイスモデルプロファイルを用いて色変換処理を実行するようにプログラムされているプリンタを提供する。
【００１０】
先の一般的記載及び後の詳細な説明は、例示的かつ説明的なものであり、請求された発明について更なる説明を与えることを意図するものであることが理解される。
【図面の簡単な説明】
【００１１】
【図１】図１は、本発明の第１の実施形態による複数のプリンタ間における色変動の補償方法を図示している。
【図２】図２は、本発明の第１の実施形態による複数のプリンタ間における色変動の補償方法を図示している。
【図３】図３は、本発明の第２の実施形態による複数のプリンタ間における色変動の補償方法を図示している。
【図４】図４は、本発明の実施形態による印刷方法を実施しうるプリンタを概略的に図示している。
【発明を実施するための形態】
【００１２】
本発明の実施形態は、各プリンタにおけるターゲットシミュレーション処理を提供することにより、複数のプリンタ間における色変動の補償方法を提供する。ターゲットシミュレーション処理は、各プリンタのデフォルト色特性を修正して、これらのプリンタがターゲットプリンタと同じ色特性を有するようにするものである。すなわち、この修正の後、修正されたプリンタ及びターゲットプリンタで印刷される際、同じデジタル画像データにより同じ色の印刷ページが生成される。２つの実施形態について説明する。第１の実施形態は、ＷＣＳ（Ｗｉｎｄｏｗｓ  Ｃｏｌｏｒ  Ｓｙｓｔｅｍ）色管理スキームを用いるプリンタにおいて実施されうるものであり、第２の実施形態は、ＩＣＣ（Ｉｎｔｅｒｎａｔｉｏｎｌ  Ｃｏｌｏｒ  Ｃｏｎｓｏｒｔｉｕｍ）色管理スキームを用いるプリンタにおいて実施されうるものである。ＷＣＳスキームは、一般にＷｉｎｄｏｗｓ  ＶｉｓｔａＴＭオペレーティングシステムによって使用され、また、ＩＣＣスキームは、一般に他の多くのオペレーティングシステムにより使用される。両方法とも、複数のカラープリンタを用いる印刷所又はいかなる施設においても使用することができる。本開示において使用されるプリンタという用語は、スキャン、印刷及びコピーを有するオールインワン（ＡＩＯ）マシン（複合機とも呼ばれる）を含む、印刷機能を有するいかなる機械をも広く網羅するものと理解されるべきである。
【００１３】
図１及び２は、本発明の第１の実施形態による方法を図示している。図１及び２に示された工程を実行する前に、任意のプリンタ及びコントローラキャリブレーション工程が、複数のプリンタの各々に対して実行される。印刷品質は、温度、湿度、長期にわたる使用等に起因して変わり得るため、この工程は多くの場合において望ましい。キャリブレーション又は再キャリブレーションは、そのようなドリフトに起因する望ましくない効果を低減するのに役立ちうる。
【００１４】
その後、複数のプリンタのうちの一つがターゲットプリンタとして指定される（ステップＳ１１）。便宜上、本開示において、複数のプリンタのうちの他のプリンタをユーザプリンタと呼ぶ。あるいは、ターゲットプリンタは、前記複数のプリンタ以外のプリンタであってもよい。デフォルトカラープロファイルによるターゲットプリンタを用いて、色測定チャートが印刷される（ステップＳ１２）。色測定チャートは、様々な色の多数の色パッチを含むチャートであり、各パッチは入力色値（例えば、ＣＭＹＫ色値）に対応している。プリンタのデフォルトカラープロファイルは、通常の印刷工程において（本発明の実施形態による修正の前に）プリンタに使用されるカラープロファイルであり、製品により提供され又はユーザにより生成され予めプリンタに記憶されてもよい。ターゲットプリンタにより印刷された色測定チャートは測定され、色パッチの色値（ターゲット色測定値と呼ぶ）が得られる（ステップＳ１３）。好ましくは、印刷された色の測定のための特殊用途の分光高度計をこの測定に用いるが、汎用分光高度計（例えば、コニカミノルタセンシングアメリカ社から入手可能なＣＭ−２６００ｄ）、色度計（コニカミノルタセンシングアメリカ社から入手可能なＣＲ−４００）等の他の適した装置を同様に使用してもよい。本実施例においてターゲットＣＤＭＰ又はｔａｒｇｅｔ．ｃｄｍｐと呼ばれる色デバイスモデルプロファイル（ＣＤＭＰ）は、ターゲット色測定値から生成される（ステップＳ１４）。ＣＤＭＰは、ＷＣＳにより色デバイスモデルプロファイルを特定するのに用いられるファイルフォーマットである。ＣＤＭＰファイルは、ＷＣＳデバイスモデルにより、デバイス色空間座標を、デバイス非依存色空間、例えばＣＩＥＸＹＺに関連付けるモデルを作成するのに使用されうる測定データを記憶する。ターゲットＣＤＭＰは、各ユーザプリンタに、例えばネットワーク又は記憶デバイスを用いて転送される（ステップＳ１５）。好ましくは、ターゲットＣＤＭＰファイルはユーザプリンタに転送される前に生成されるが、未加工のターゲット色測定値を各プリンタに転送し、その後各プリンタがターゲットＣＤＭＰファイルを生成してもよい。
【００１５】
図２に示される工程は、各ユーザプリンタで実行される。まず、ターゲットＣＤＭＰファイルがユーザプリンタに記憶される（ステップＳ２１）。デフォルトカラープロファイルによるユーザプリンタを用いて、色測定チャートが印刷され（ステップＳ２２）、チャートの色値が測定されて色パッチの色値（ユーザ色測定値と呼ぶ）が得られる（ステップＳ２３）。ユーザプリンタにより印刷された色測定チャートは、ステップＳ１２においてターゲットプリンタにより印刷された色測定チャートに対応し、これは２つのチャート中の対応する色パッチに対する入力デジタル色値が同じであることを意味する。すなわち、２つの印刷チャートにおける対応する色パッチは、デフォルトカラープロファイルのターゲットプリンタ及びユーザプリンタの間で色変動がなければ、同じ色を有するであろう。本実施例においてユーザＣＤＭＰ又はｕｓｅｒ．ｃｄｍｐと呼ばれる、ユーザプリンタに対するデバイスカラーモデルプロファイルは、ユーザ色測定値から生成され、プリンタに記憶される（ステップＳ２４）。
【００１６】
ユーザプリンタを用いてデジタル画像データからカラー画像を印刷する場合、ユーザプリンタにおけるＷＣＳワークフローは、ユーザプリンタのデフォルトカラープロファイルに加えて、ターゲットＣＤＭＰ及びユーザＣＤＭＰが色変換に使用されるように修正される（ステップＳ２５）。これは、ＷＣＳが提供するＡＰＩを用いたカスタマイズ制御処理を提供することにより達成される。より具体的には、カスタマイズ制御処理は、まず入力画像のＣＤＭＰ及びユーザプリンタのデフォルトＣＤＭＰを呼び出し、画像を入力画像の色空間（例えば、ｓＲＧＢ）からユーザプリンタデバイスの領域に変換する。制御処理はその後、ターゲットＣＤＭＰ及びユーザＣＤＭＰを呼び出し、ターゲットプリンタの領域からユーザプリンタの領域への色変換を実行する。実際の色変換処理はＷＣＳが行う。
【００１７】
Ｍｉｃｒｏｓｏｆｔから入手可能な説明書（例えば、「Ｕｓｉｎｇ  Ｔｈｅ  Ｃｏｌｏｒ  Ｍａｐｐｉｎｇ  Ｐｒｏｃｅｓｓ  ｗｉｔｈ  ＷＣＳ（ＷＣＳによる色マッピング処理の使用）」，http://msdn2.microsoft.com/en-us/library/ms536819.aspx参照）によると、色変換処理は、まず色をターゲットデバイス（ここでは、例えば、ターゲットプリンタ）の領域からデバイス非依存色空間に変換し、その後、色をデバイス非依存色空間から送り先のデバイス（ここでは、例えば、ユーザプリンタ）の領域に変換することにより実行されうる。
【００１８】
ターゲットＣＤＭＰ及びユーザＣＤＭＰを呼び出す工程を加えた結果、ユーザプリンタにより印刷される画像は、同じ入力デジタルデータからターゲットプリンタにより印刷された画像と実質的に同一となる。修正されたＷＣＳワークフローの実行の詳細は、既存のＷＣＳの説明書を参照することにより又は日常の実験を通じて、当業者であれば直ちに理解できることから、ここでは記載しない。
【００１９】
図１及び２の方法を実行する別の手段は、ユーザプリンタのデフォルトカラープロファイル（すなわち、ｒｇｂからｃｍｙｋへの変換を達成するデフォルトカラープロファイル）を、複数のＣＤＭＰプロファイルが含まれる一つのカラー変換に置き換えて、ターゲットプリンタの色特性を直接シミュレートすることである。この別の方法では、ステップＳ１２及びＳ２２において、プリンタの色測定機能がオフにされた状態で、色測定チャートがターゲットプリンタ及びユーザプリンタで印刷される。すなわち、ターゲットプリンタ及びユーザプリンタのデフォルトカラープロファイルは各々、色測定チャートの印刷時に使用されない。ステップＳ１３からＳ１５，Ｓ２３及び２４に変更はなく、ターゲット及びユーザプリンタのＣＤＭＰファイル（ｔａｒｇｅｔ．ｃｄｍｐ及びｕｓｅｒ．ｃｄｍｐ）は、色測定チャートから生成される。その後、ステップＳ２５は例として以下のＡＰＩを含む制御処理により実行されうる。
HTRANSFORM WINAPI CreateMultiProfileTransform(
PHPROFILE pahProfiles,
DWORD nProfiles,
PDWORD padwIntent,
DWORD nIntents,
DWORD dwFlags,
DWORD indexPreferred CMM
);
ここで、pahProfilesは使用されるプロファイルのハンドルの配列へのポインタであり、nProfilesは配列におけるプロファイルの数を特定する。簡単な例では、組み込まれたＣＡＭＰ及びＧＭＭＰプロファイルが使用される場合、nProfilesは３である。pahProfilesは、３つのＣＤＭＰプロファイルを、ｗｓＲＧＢ．ｃｄｍｐ（入力画像のＣＤＭＰ）、ｔａｒｇｅｔ．ｃｄｍｐ及びｕｓｅｒ．ｃｄｍｐの順で含む。他のパラメータの定義は、http://msdn2.microsoft.com/en-us/library/ms536799.aspxで入手可能なＭｉｃｒｏｓｏｆｔ提供の説明書に記載されている。ＡＰＩの他のパラメータ間において、ｗｓＲＧＢ．ｃｄｍｐ及びｔａｒｇｅｔ．ｃｄｍｐ（例えば、入力画像及びターゲットのインテント）に対応するものについては、ユーザプリンタでＡＰＩを呼び出す際に使用される値（プラグインを含む）は、ターゲットプリンタで使用されるのと同じ値であるべきであることに留意されたい。これを達成する一つの方法は、これらのパラメータとして、ターゲットプリンタとユーザプリンタとで同じ値である工場デフォルト値を使用することである。これを達成する他の方法は、実際に、ターゲットプリンタからの値（例えば、インテント及びそれに関連するＧＭＭＰ，プラグイン，ＣＡＭＰ等）をユーザプリンタに事前に転送して、ユーザプリンタでＡＰＩを呼び出す際にそれらを使用できるようにすることである。
【００２０】
図１及び２に示す方法では、ユーザプリンタにおいて画像が印刷されるたびにステップＳ２５が実行される一方で、ステップＳ１１からＳ１５及びＳ２１からＳ２４は一度実行され、また、時々繰り返されてもよい。ターゲットプリンタにおける印刷方法は変更されず、すなわちデフォルトカラープロファイルが色変換に用いられる。
【００２１】
図３は、ＩＣＣ色管理スキームを用いるプリンタにおいて実行される本発明の第２実施形態による方法を図示している。第１の実施形態と同様に、まず、任意のプリンタ及びコントローラキャリブレーションが複数のプリンタに対して実行される。その後、複数のプリンタのうちの一つがターゲットプリンタとして特定される（ステップＳ３１）。あるいは、ターゲットプリンタは、修正される前記複数のプリンタ以外のプリンタであってもよい。その後、ターゲットプリンタを用いて色測定チャートが印刷され（ステップＳ３２）、測定されて色パッチに対する色値（ターゲット色測定値）が得られる（ステップＳ３３）。同様に、各ユーザプリンタを用いて対応する色測定チャートが印刷され（ステップＳ３４）、測定されて色パッチに対する色値（ユーザ色測定値）が得られる（ステップＳ３５）。ステップＳ３２及びＳ３４において、チャートは各プリンタのデフォルトカラープロファイルを用いて印刷される。ターゲット色測定値及びユーザ色測定値に基づき、ターゲットシミュレーションプロファイルが各ユーザプリンタに対して生成される（ステップＳ３６）。ＩＣＣ色管理スキームにおいて、カラープロファイルは２組の色値間のマッピングであり、ルックアップテーブル又はマトリクスの形になりうる。ステップＳ３６において生成されたターゲットシミュレーションプロファイルは、ユーザプリンタの色特性のターゲットプリンタの色特性に対するマッチングを表している。ターゲットシミュレーションプロファイルは、ユーティリティが一般にプロファイルメーカーと称され、２組の色測定値を与えられるとプロファイルを生成するソフトウェアを用いて生成されてもよい。この工程は、いかなるコンピュータにおいて実行されてもよい。その後、ターゲットシミュレーションプロファイルは、ユーザプリンタのデフォルトカラープロファイルと結合されて、各ユーザプリンタに対する結合カラープロファイルを生成する（ステップＳ３７）。カラープロファイルがルックアップテーブルの形をとる場合、この結合は、２つのルックアップ処理を順番に実行したのと同じ結果を与えるルックアップテーブルを生成することによって行ってもよい。結合カラープロファイルは、ユーザプリンタの各々に格納され、プリンタのデフォルトカラープロファイルと置き換わる（ステップＳ３８）。デフォルトカラープロファイルが結合カラープロファイルに置き換えられた状態で、デジタル画像はユーザプリンタにおいて従来の方法により印刷される。
【００２２】
ＷＣＳ及びＩＣＣ色管理スキームの下における本発明の実施について上述した。本発明は他の色管理スキームの下でも同様に実施することができる。
【００２３】
図４は、本発明の実施形態による方法が実行されうるプリンタの概略ブロック図である。プリンタは、プロセッサ４２及びメモリ４３を含むコントローラ４１、プリントエンジン４４、インタフェース部４５を含む。プリンタの他の部分は図示しない。メモリ４３は、ＷＣＳスキームの下で第１の実施形態を実施する際のターゲットＣＤＭＰ及びユーザＣＤＭＰファイル、並びにＩＣＣスキームの下で第２の実施形態を実施する際の結合カラープロファイルを含む、種々のカラープロファイルを格納している。プロセッサ４２は、本発明の実施形態による種々の色変換処理を含む画像処理を実行する。
【００２４】
本発明の趣旨及び範囲を逸脱することなく、本発明の色変動補償方法及び装置に種々の改良及び変更を加えうることは、当業者において明らかである。このように、本発明は、添付のクレーム及びその均等物の範囲内において生じる改良及び変更を網羅することが意図されている。
【図１】
0005420885.tif 000002
【図２】
0005420885.tif 000003
【図３】
0005420885.tif 000004
【図４】
0005420885.tif 000005